(57)【要約】【課題】携帯端末などで再生して視聴することのできるインターネット上のコンテンツを比較的簡便に記録媒体に格納することのできるホームゲートウェイ装置を提供する。【解決手段】インターネット２とＬＡＮを中継するホームゲートウェイ装置３であって、接続されるUSBストレージデバイスに対するアクセス手段１１と、USBストレージデバイスに格納されたスクリプトファイルの記述で指定されたURLからコンテンツをダウンロードする手段７と、ダウンロードファイルを前記USBストレージデバイスに格納する手段とを有することを特徴とするホームゲートウェイ装置。【選択図】図１
2010178101.tif 000002
【特許請求の範囲】
【請求項１】
インターネットとＬＡＮを中継するホームゲートウェイ装置であって、接続されるUSBストレージデバイスに対するアクセス手段と、USBストレージデバイスに格納されたスクリプトファイルの記述で指定されたURLからコンテンツをダウンロードする手段と、ダウンロードファイルを前記USBストレージデバイスに格納する手段とを有することを特徴とするホームゲートウェイ装置。
【請求項２】
スクリプトファイルを作成する手段と、前記スクリプトファイルをＵＳＢストレージデバイスに格納する手段を有することを特徴とする請求項１記載のホームゲートウェイ装置。
【請求項３】
ブラウザによって表示される画面から入力できる頁を提供するWebサーバ手段を有し、入力された情報に基づき前記スクリプトファイル作成手段は、スクリプトファイルを作成することを特徴とする請求項１又は２記載のホームゲートウェイ装置。
【請求項４】
ダウンロードの開始と終了を表示するLED表示手段を有することを特徴とする請求項１乃至３のいずれか１に記載のホームゲートウェイ装置。
【請求項５】
前記LED表示手段は、ダウンロード動作の終了後ダウンロードの成否の表示をすることを特徴とする請求項４記載のホームゲートウェイ装置。
【請求項６】
スクリプトファイルで指定された時刻にダウンロードを開始するスケジュール管理手段を有することを特徴とする請求項１乃至５のいずれか１に記載のホームゲートウェイ装置。
【請求項７】
USBストレージデバイスの接続を検出してスクリプトファイルのコマンドを解析し、スクリプトファイルに記述にしたがって自動的にダウンロードを開始することを特徴とする請求項１乃至６記載のホームゲートウェイ装置。
【請求項８】
ホームゲートウエイ装置を使用してUSBストレージデバイスにコンテンツを格納する方法であって、前記ホームゲートウエイ装置は、接続されるUSBストレージデバイスに対するアクセス手段と、インターネット上のURLが記述されたスクリプトファイルの作成手段と、USBストレージデバイスに格納されたスクリプトファイルの記述で指定されたURLからコンテンツをダウンロードする手段と、ダウンロードファイルを前記USBストレージデバイスに格納する手段とを有し、USBストレージデバイスを前記ホームゲートウェイ装置に装着し、前記USBストレッジデバイスにインターネット上のURLを含むスクリプトファイルを作成し、前記USBストレッジデバイスに格納されたスクリプトファイルに記述されたURLにしたがってインターネットからコンテンツファイルをダウンロードし、前記USBストレッジデバイスに格納することを特徴とするUSBストレージデバイスにコンテンツを格納する方法。
【請求項９】
インターネットからのダウンロードの開始は、スクリプトファイルで指定された所定の時刻に行われることを特徴とする請求項８記載のUSBストレージデバイスにコンテンツを格納する方法。
【発明の詳細な説明】
【技術分野】
【０００１】
本発明は、ホームゲートウェイ装置に関し、特に、インターネット上のコンテンツをダウンロードする機能を有するホームゲートウェイ装置に関する。
【背景技術】
【０００２】
家庭内ＬＡＮの普及にとともにホームゲートウェイ装置も広く使用されるようになった。ホームゲートウェイ装置は、インターネットと家庭内ＬＡＮの間に配置され、ホームルータ機能、プロトコル変換機能を有し、家庭内LANとインターネットとがIP通信を行う中継装置の役割を担っている。そして、家庭内ＬＡＮに接続されたＰＣ、セットトップボックス、ホームサーバ装置などの終端装置がインターネット上にあるコンテンツをダウンロードして利用するようになっている。例えば、家庭内ＬＡＮに接続されたＰＣは、ホームゲートウェイ装置を介してインターネットからネットラジオ等のコンテンツをダウンロードして視聴することができる。
【０００３】
一方、携帯電話や携帯端末が普及し外出先や移動中にコンテンツを視聴するなどコンテンツ視聴方法が多様化している。携帯電話あるいは携帯端末へのコンテンツ取り込みを、これら携帯電話または携帯端末を直接インターネットに接続してダウンロードすることも可能ではあるが、通信コストの面から課題がある。
【０００４】
通信コストを切り詰めるために、ブロードバンド回線を使用し、家庭内ＬＡＮに接続されたＰＣでインターネットからダウンロードしたファイルを着脱可能な記録媒体に記録し、その記録媒体を携帯電話あるいは携帯端末に装着し、移動先などでコンテンツを視聴することが考えられる。しかしながら、記録媒体にコンテンツを記録する度にＰＣの起動が必要になり、そのための操作と時間が必要になる。
【０００５】
特開２００３−３４８５０８号公報（特許文献１）は、ホームサーバ装置でインターネットなどからコンテンツをハードデイスク装置にダウンロードし、ダウンロードしたコンテンツファイルをそのホームサーバ内でリムーバブルデイスクメデイアに記録し、そのリムーバブルデイスクメデイアを携帯型レコーダ／プレーヤに装填して再生させる技術を開示している。そして、ホームサーバに装填するデイスクメデイアには、予め、携帯型レコーダ／プレーヤでホームサーバ装置がコンテンツを収集するのに必要な指示情報を記述したスクリプトを作成して記録する。そのスクリプトにしたって、ホームサーバ装置はコンテンツをダウンロードしている。
【０００６】
しかし、特許文献１は、ホームサーバ装置を使用するもので、ホームサーバ装置は、家庭内ＬＡＮの中核をになう機器であり、ネットワークに接続された各部屋の機器に様々なデータやサービスを提供する装置である。そして、テレビ放送の録画、インターネットの配信サービスなどから音楽、画像、その他のコンテンツを受信、蓄積してネットワークを通して各部屋に置かれた再生機器などに配信でき、大容量HDDを装備した機器である。このため、値段も高くどこの家庭でも簡単に設置できるというわけにはいかない。
【先行技術文献】
【特許文献】
【０００７】
【特許文献１】特開２００３−３４８５０８号公報
【発明の概要】
【発明が解決しようとする課題】
【０００８】
したがって、本発明は、携帯端末などで再生して視聴することのできるインターネット上のコンテンツを比較的簡便に記録媒体に格納することのできるホームゲートウェイ装置を提供する。
【課題を解決するための手段】
【０００９】
本発明に１視点によれば、インターネットとＬＡＮを中継するホームゲートウェイ装置であって、接続されるUSBストレージデバイスに対するアクセス手段と、USBストレージデバイスに格納されたスクリプトファイルの記述で指定されたURLからコンテンツをダウンロードする手段と、ダウンロードファイルを前記USBストレージデバイスに格納する手段とを有することを特徴とするホームゲートウェイ装置が得られる。
【００１０】
ホームゲートウエイ装置は、スクリプトファイルを作成する手段と、前記スクリプトファイルをＵＳＢストレージデバイスに格納する手段を有することが望ましい。
【００１１】
望ましくは、ホームゲートウエイ装置は、また、ブラウザによって表示される画面から入力できる頁を提供するWebサーバ手段を有し、入力された情報に基づき前記スクリプトファイル作成手段は、スクリプトファイルを作成される。
【００１２】
好ましくは、ホームゲートウエイ装置は、ダウンロードの開始と終了を表示するLED表示手段を有する。
【００１３】
ホームゲートウエイ装置は、スクリプトファイルで指定された時刻にダウンロードを開始するスケジュール管理手段を備えていれば、所定の時刻のコンテンツをダウンロードできる。
【００１４】
望ましい携帯では、ホームゲートウェイ装置は、USBストレージデバイスの接続を検出してスクリプトファイルのコマンドを解析し、スクリプトファイルに記述にしたがって自動的にダウンロードを開始する。
【００１５】
本発明の、別の視点によれば、ホームゲートウエイ装置を使用してUSBストレージデバイスにコンテンツを格納する方法であって、前記ホームゲートウエイ装置は、接続されるUSBストレージデバイスに対するアクセス手段と、インターネット上のURLが記述されたスクリプトファイルの作成手段と、USBストレージデバイスに格納されたスクリプトファイルの記述で指定されたURLからコンテンツをダウンロードする手段と、ダウンロードファイルを前記USBストレージデバイスに格納する手段とを有し、USBストレージデバイスを前記ホームゲートウェイ装置に装着し、前記USBストレッジデバイスにインターネット上のURLを含むスクリプトファイルを作成し、前記USBストレッジデバイスに格納されたスクリプトファイルに記述されたURLにしたがってインターネットからコンテンツファイルをダウンロードし、前記USBストレッジデバイスに格納することを特徴とするUSBストレージデバイスにコンテンツを格納する方法が得られる。
【発明の効果】
【００１６】
本発明のホームゲートウェイ装置を利用することによって、ユーザはインターネット上にあるネットラジオ等のコンテンツデータをダウンロードする際に、その都度PCを起動したりすることなく宅内に配線されたブロードバンド回線を用いた安価な通信でコンテンツをダウンロードできる。
【００１７】
例えば毎日更新されるコンテンツである場合には、毎朝出かける前にＵＳＢストレージデバイスを接続することでデータを更新して持ち出すといった使い方を提供することができ、ユーザの利便性の向上が期待できる。
【００１８】
また、本発明の実施形態によれば、ホームゲートウェイ装置では、ＵＳＢストレージデバイスに格納されたスクリプトファイルに従ってダウンロードしたコンテンツデータをそのＵＳＢストレージデバイスに格納するため、ＵＳＢストレージデバイスを複数用意してコンテンツデータ毎にＵＳＢストレージデバイスを使い分ける利便性をユーザに提供することができる。
【００１９】
さらに、本発明のホームゲートウェイ装置では、一般的にホームゲートウェイ装置が持つWebサーバ機能によってＵＳＢストレージデバイスに格納するスクリプトファイルを作成する機能を提供するため、コンテンツを視聴する携帯電話または携帯端末が本発明のホームゲートウェイ専用のものである必要が無い。
【図面の簡単な説明】
【００２０】
【図１】本発明の第１の実施形態に係るブロック図である。
【図２】本発明の第１の実施の形態で使用するスクリプトの例を示す図である。
【図３】本発明の第１の実施の形態で使用されるユーザ端末上に表示されるWebブラウザ表示画面の例を示す図である。
【図４】本発明の第１の実施形態のホームゲートウェイ装置がインターネットからコンテンツを取得する動作を示すフローを示す図である。
【図５】本発明の第２の実施形態に係るブロック図である。
【図６】本発明の第２の実施の形態で使用するスクリプトの例を示す図である。
【図７】本発明の第２の実施の形態で使用されるユーザ端末上に表示されるWebブラウザ表示画面の例を示す図である。
【図８】本発明の第２の実施形態のホームゲートウェイ装置がインターネットからコンテンツを取得する動作を示すフローを示す図である。
【発明を実施するための形態】
【００２１】
図１を参照すると、本発明のホームゲートウェイ装置３は、ブロードバンドルータ部４、Webサーバ部６、ダウンロード実行部7、コマンド解析部8、コマンド作成部９、LED表示部10、ＵＳＢストレージデバイス制御部１１およびＵＳＢポート制御部１２を含んで構成される。
【００２２】
ＵＳＢポート制御部１２は、ＵＳＢストレージデバイス１３の接続あるいは切断を検出してＵＳＢストレージデバイス制御部１１に通知する機能とＵＳＢストレージデバイス制御部１１からＵＳＢストレージデバイス１３へのＵＳＢ通信手段を提供する。ＵＳＢストレージデバイス制御部１１は、ＵＳＢポート制御部１２を介してＵＳＢストレージデバイス１３とＵＳＢ通信を行うことによりＵＳＢストレージデバイス１３に格納されたファイルへのアクセス手段を提供する。コマンド解析部８は、ＵＳＢストレージデバイス制御部１１の提供するファイルアクセス手段を使用してＵＳＢストレージデバイス１３に格納されているスクリプトファイル１４を参照し、スクリプトファイル１４の内容を解析してコンテンツのダウンロード実行をダウンロード実行部７に指示する機能を有する。ダウンロード実行部７は、コマンド解析部８からの指示に従ってブロードバンドルータ部４を介してインターネット２に接続されたコンテンツサーバ１にアクセスし、コンテンツをダウンロードしてＵＳＢストレージデバイス制御部１１の提供するファイルアクセス手段を使用してＵＳＢストレージデバイス１３に直接ダウンロードファイルをコンテンツデータ１５として格納するとともに、ダウンロードの実行状態の表示をLED表示部１０に指示する機能を有する。LED表示部１０は、ダウンロード実行部７からの指示に従ってダウンロード実行中であることあるいはダウンロードが完了したことをLEDでユーザに表示する機能を提供する。ブロードバンドルータ部４は、ダウンロード実行部７とインターネット２に接続されたコンテンツサーバ１との間のIP通信を中継する機能とユーザ端末５とWebサーバ部６との間のTCP/IP通信を中継する機能を提供する。Webサーバ部６はブロードバンドルータ部４の提供するTCP/IP通信を利用して一般的なHTTPプロトコルサーバとしての動作を行い、ユーザ端末５で動作するブラウザソフトウェアを介してユーザが設定操作を行う手段をWebページの形式で提供する。コマンド作成部９はWebサーバ部９からの指示に従ってユーザの期待する動作設定を記述するスクリプトを作成し、そのスクリプトファイルをＵＳＢストレージデバイス制御部１１の提供するファイルアクセス手段を使用してＵＳＢストレージデバイス１３内のスクリプトファイル１４として格納する機能を提供する。
【００２３】
ＵＳＢストレージデバイス１３は、スクリプトファイル１４を格納すると共に、コンテンツデータ１５を格納する領域を持っている。また、ＵＳＢストレージデバイス１３はユーザが利用する携帯電話または携帯端末１６と接続し、ＵＳＢストレージデバイス１３から携帯電話または携帯端末１６にコンテンツデータ１５を取り込むことが可能なように構成されている。一般的な携帯電話ではminiSDカードもしくはmicroSDカードを使用するが、ＵＳＢストレージデバイスの形式で制御が可能なメモリカードライタを用いることでこれらminiSDカードあるいはmircoSDカードにコンテンツデータを格納することが可能である。すなわち、メモリカードライタにmircroSD,miniSDといったカードを挿してUSB接続するとUSBストレージデバイスとして扱える。USB接続機器には色々な種別があり、USBクラスという定義値で識別するが、メモリカードライタはUSBクラスとしてはUSBストレージクラスになる。携帯端末等でよく用いられるmicroSDやminiSDもUSB接続のメモリカードライタを介して接続することでUSBストレージデバイスとして制御できる。このようなメモリカードライタに接続されたminiSDやmicroSDもUSBストレージデバイス１０として扱うものとする。
【００２４】
ＵＳＢストレージデバイス１３に格納するスクリプトファイル１４の書式の例を図２に示す。本発明の実施形態ではＸＭＬ形式で記述している。XML形式は一般的に用いられている記述形式であり、本発明のホームゲートウェイ装置に用いるスクリプトファイル１４の記述に適していると考えられる。しかし、本発明では記述形式をXML形式に限定するものではない。
【００２５】
Webサーバ部６がユーザ端末５で動作する一般的なWebブラウザソフトウェアの表示画面の例を図３に示す。図３は、Webサーバ部６が提供するページが、ユーザ端末５で動作する一般的なWebブラウザソフトウェアで表示される画面の例を示す。Webブラウザ画面W１において、ダウンロードURL入力枠W２と、書き込み実行ボタンW３を用意する。ユーザはダウンロードURL入力枠W２に、ダウンロードしたいコンテンツのURLを入力し、書き込み実行ボタンW３を押下することで本発明のホームゲートウェイ装置のWebサーバ部６に指示が送信される一般的なWebページ機能が想定されている。
【００２６】
図１に示す本発明のホームゲートウェイ装置によるコンテンツダウンロード動作の準備段階として、図３に示すWebブラウザ画面に沿ったユーザの操作によってＵＳＢストレージデバイス１３にスクリプトファイル１４を格納する手順について図１と図３を参照して説明する。
【００２７】
まずWebサーバ部６はブロードバンドルータ部４の提供するTCP/IP通信機能を利用して、TCPのHTTPサーバポートを用いるTCP通信パスを開く。ユーザがPCなどのユーザ端末５にて、一般的なWebブラウザソフトウェアを起動してホームゲートウェイ装置３のIPアドレスにHTTPアクセスすることにより、Webサーバ部６はWebブラウザ画面W１を構成するHTMLデータをユーザ端末５に送信する。WebブラウザソフトウェアによりHTMLデータが解釈され、Webブラウザ画面W１にはダウンロードURL入力枠W２と書き込み実行ボタンW３が表示される。ユーザはダウンロードURL入力枠W２にダウンロードしたいコンテンツのURLを入力し、書き込み実行ボタンW３を押下する。HTTPプロトコルを用いた送信手順を用いてWebブラウザソフトウェアからダウンロードURL入力枠W２に入力された内容がWebサーバ部６に対して送信される。Webサーバ部６は送信されたダウンロードURL入力枠W２の内容を受け取り、コマンド作成部９にダウンロードURL情報を渡す。コマンド作成部９は、渡されたダウンロードURL情報を元に図２に示す形式のスクリプトデータを作成し、ＵＳＢストレージデバイス制御部１１の提供するファイルアクセス手段を使用してＵＳＢストレージデバイス１３にスクリプトファイル１４を格納する。
【００２８】
次に、図１に示す本発明のホームゲートウェイ装置の動作について図４のフローチャートを参照して説明する。
【００２９】
ＵＳＢポート制御部１２はＵＳＢポートにＵＳＢデバイスが接続されるのを待ち受ける（図４のステップＳ１）。ＵＳＢデバイスが接続されたことをＵＳＢポート制御部１２が検出すると、ＵＳＢポート制御部１２は接続されたＵＳＢデバイスのデバイス情報を参照してＵＳＢストレージデバイスかどうかを判断する（図４のステップＳ２）。ＵＳＢストレージデバイスでない場合には、本発明のダウンロード機能の対象ではないのでＵＳＢデバイスが接続しなおされるのを待つ（図４のステップＳ１１）。ＵＳＢストレージデバイスである場合にはＵＳＢポート制御部１２はＵＳＢストレージデバイス制御部１１に対してＵＳＢストレージデバイス１３が接続されたことを通知し、通知されたＵＳＢストレージデバイス制御部１１はコマンド解析部８に対してコマンド解析処理の開始を指示する。コマンド解析部８はＵＳＢストレージデバイス制御部１１の提供するファイルアクセス手段を使用してＵＳＢストレージデバイス１３にスクリプトファイル１４が格納されているか判断する（図４のステップＳ３）。スクリプトファイル１４が存在しない場合には、本発明のダウンロード機能の対象ではないのでＵＳＢデバイスが接続しなおされるのを待つ（図４のステップＳ１１）。スクリプトファイル１４が存在した場合には、コマンド解析部８はスクリプトファイル１４の内容を解析し（図４のステップＳ４）、ダウンロード実行が記述されているかを判断する（図４のステップＳ５）。ダウンロード実行が記述されていない場合には、本発明のダウンロード機能は行わずにＵＳＢデバイスが接続しなおされるのを待つ（図４のステップＳ１１）。ダウンロード実行が記述されていた場合には、コマンド解析部６はスクリプトファイル１４に記述されたダウンロード対象のＵＲＬ情報を添えてダウンロード実行部７にダウンロード実行を指示する。コマンド解析部８からダウンロード実行を指示されたダウンロード実行部７はＬＥＤ表示部１０にダウンロード中であることを示すＬＥＤ表示を指示し（図４のステップＳ６）、ダウンロードを実行する（図４のステップＳ７）。ダウンロード実行部７はコマンド解析部８から渡されたＵＲＬに該当するコンテンツデータを持つコンテンツサーバ１に対するＩＰ通信をブロードバンドルータ部４に要求し、インターネット２を介してコンテンツサーバ１からコンテンツデータをダウンロードする。ダウンロードしたコンテンツデータはＵＳＢストレージデバイス制御部１１の提供するファイルアクセス手段を利用してＵＳＢストレージデバイス１３にコンテンツデータ１５として格納する。ダウンロード実行部７はダウンロードの結果を判断し（図４のステップＳ８）、ダウンロードが正常に終了した場合にはＬＥＤ表示部１０に対してダウンロード成功を示すＬＥＤ表示を指示する（図４のステップＳ９）。ダウンロードが失敗した場合にはＬＥＤ表示部１０に対してダウンロード失敗を示すＬＥＤ表示を指示する（図４のステップＳ１０）。ダウンロード成功の場合にはＳＢストレージデバイス１３をホームゲートウェイ装置から抜き取り、ＵＳＢストレージデバイス１３に格納されたコンテンツデータ１５を携帯電話ある携帯端末１６で視聴する。
【００３０】
上述のように、本発明の実施形態によれば、ユーザはスクリプトファイル１４を格納したＵＳＢストレージデバイス１３をホームゲートウェイ装置に接続し、ダウンロード実行中のＬＥＤ表示の後、ダウンロード成功もしくはダウンロード失敗のＬＥＤ表示によりダウンロード動作の完了を知ってＵＳＢストレージデバイス１３にネットラジオなどのコンテンツを記録することができる。コンテンツの記録された、USBストレージデバイスは、ホームゲートウェイ装置から抜き取り、ダウンロード成功の場合にはＵＳＢストレージデバイス１３に格納されたコンテンツデータ１５を携帯電話ある携帯端末１６で視聴することができる。
【００３１】
なお、本実施の形態の説明で、スクリプトファイルの作成のためのダウンロードURLをWebサーバ部の提供する頁に入力するためにPC端末を使用しているが、一度、入力すれば、USBストレージデバイスのスクリプトファイルを消去しない限り、そのUSBストレージデバイスに格納されたスクリプトで指定されたURLに対しては、同じUSBストレージデバイスをホームゲートウェイ装置に装着すれば、ネットラジオのように、所定の間隔で、或いは所定の時刻で更新されたコンテンツを提供されるURLのコンテンツを継続して格納することができる。したがってPCをその都度起動する必要はない。ホームゲートウエイ装置は常時動作させているものであるから、USBストレージデバイスへのコンテンツの格納は、ホームゲートウェイ装置にUSBストレージデバイスを接続すればよく、面倒な操作を必要としない。
【００３２】
また、本発明の実施形態によれば、ホームゲートウェイ装置では、ＵＳＢストレージデバイスに格納されたスクリプトファイルに従ってダウンロードしたコンテンツデータをそのＵＳＢストレージデバイスに格納するため、ＵＳＢストレージデバイスを複数用意してコンテンツデータ毎にＵＳＢストレージデバイスを使い分ける利便性をユーザに提供することができる。
【００３３】
さらに、本発明のホームゲートウェイ装置では、一般的にホームゲートウェイ装置が持つWebサーバ機能によってＵＳＢストレージデバイスに格納するスクリプトファイルを作成する機能を提供するため、コンテンツを視聴する携帯電話または携帯端末が本発明のホームゲートウェイ専用のものである必要が無い。
【００３４】
次に、本発明の第２の実施形態について図面を参照して説明する。
【００３５】
図５では図１の構成に加えてスケジュール管理部１７をコマンド解析部８とダウンロード実行部７の間に追加した構成を示している。また、スクリプトファイル１４の内容として新たに図６の記述例を追加している。図６のスクリプト内容には、ダウンロード実行の情報としてコンテンツのURLに加えてダウンロード実行時刻を記述するようにした。このダウンロード実行時刻の記述追加とスケジュール管理部１７の追加により、ユーザが指定した時刻例えば深夜時間帯にダウンロードを実行する機能を追加することができる。
【００３６】
図６のスクリプト内容を作成するためのWebブラウザ画面を図７に示す。図７のWebブラウザ画面は図３のWebブラウザ画面に比べてダウンロード時刻入力枠W４を追加している。スクリプトファイル１４を作成してＵＳＢストレージデバイス１３に格納する手順は、前述の本発明の実施例と同様であるが、Webサーバ部６がWebブラウザソフトウェアに渡すHTMLデータにダウンロード時刻入力枠W4が追加される点が異なる。ダウンロード時刻入力枠W４が追加されたHTMLデータに従い、書き込み実行ボタンW３が押下された場合にはWebブラウザソフトウェアはダウンロードURL入力枠W２の内容とダウンロード時刻入力枠W４の内容をWebサーバ部６に送信する。Webサーバ部６はダウンロードURL入力枠W２の内容とダウンロード時刻入力枠W４の内容を受け取り、コマンド作成部９にダウンロードURL情報とダウンロード時刻情報を添えてスクリプトファイル作成を指示する。コマンド作成部９はダウンロードURL情報とダウンロード時刻情報を元に図６のようにダウンロード実行時刻を含むスクリプトファイルを作成する。
【００３７】
次に、図５に示す本発明の他の実施例の動作について、図８のフローチャートを参照して説明する。
【００３８】
動作開始からコマンド解析部８がスクリプトファイル１４の内容を解析しダウンロード実行の記述があることを判断する（図４のステップS５および図４のステップS５）までの手順は、前述の本発明の実施例と同様であるが、本実施例では時刻指定に対する判断（図８のステップS１２）を追加している。コマンド解析部８はダウンロード実行を判断（図８のステップS５）した後、スクリプトにある時刻指定を判断する。時刻指定がない場合には即時ダウンロード実行部７にダウンロードを指示する（図８のステップS６）が、時刻指定がある場合にはスケジュール管理部１７に指定時刻でのダウンロード実行を指示する。スケジュール管理部１７は指定時刻になるのを待ち（図８のステップS１２）、指定時刻になったらダウンロード実行部７にダウンロード実行を指示する（図８のステップS６）。ダウンロード実行開始（図８のステップＳ６）からＵＳＢポート切断待ち（図８のステップＳ１１）までの動作は前述の本発明の実施例と同様である。
【００３９】
このダウンロード実行時刻指定により、例えば就寝中にダウンロードを実行しておき翌朝ダウンロードされたコンテンツデータを視聴するといった利便性をユーザに提供することができる。
【００４０】
以上本発明の実施の形態ついて説明してきたが、本発明は、これら実施の形態に限定されることはなく、発明の本旨を逸脱しない限り種々の変形が可能であることは勿論である。
【符号の説明】
【００４１】
１  コンテンツサーバ
２  インターネット
３  ホームゲートウェイ装置
４  ブロードバンドルータ部
５  ユーザ端末
６  Webサーバ部
７  ダウンロード実行部
８  コマンド解析部
９  コマンド作成部
１０  LED表示部
１１  USBストレージデバイス制御部
１２  USBポート制御部
１３  USBストレージデバイス
１４  スクリプトファイル
１５  コンテンツデータ
１６  携帯電話または携帯端末
１７  スケジュール管理部
【図１】
2010178101.tif 000003
【図２】
2010178101.tif 000004
【図３】
2010178101.tif 000005
【図４】
2010178101.tif 000006
【図５】
2010178101.tif 000007
【図６】
2010178101.tif 000008
【図７】
2010178101.tif 000009
【図８】
2010178101.tif 000010